(57)【特許請求の範囲】
【請求項１】
垂下された吊部材とその左又は／及び右に位置する棒状の振止部材とを交差状に連結するための交差部連結金具であって、
振止部材を保持するための保持部材が、
向かい合う一対の締結片に締結具を挿通するための締結孔を設けて略Ｕ字形、略Ｖ字形又は略Ｗ字形に連結又は構成された保持部本体と、
締結片の左右一端部又は両端部に、一対の締結片の近接によって振止部材を挟み込んで圧着する挟着部と、を備え、
挟着部は、一対の締結片の端部から相互に向かい合うように延伸して形成された端面どうしの組み合わせ又は一対の締結片の端部の一方のみから他方へ延伸して形成された端面からなることを特徴とする交差部連結金具。
【請求項２】
端面は、振止部材の挿通する切欠溝を備えたことを特徴とする請求項１記載の交差部連結金具。
【請求項３】
端面は、振止部材の挿通する切欠溝を締結孔よりも一対の締結片の開放側へ備えたことを特徴とする請求項２記載の交差部連結金具。
【請求項４】
締結具にボルトを使用したことを特徴とする請求項１から３のいずれかに記載の交差部連結金具。
【請求項５】
吊部材を保持する一対の金具本体と保持片とを備え、
向かい合う金具本体と保持片の吊部材と直交する一端部又は両端部に、吊部材を挟み込んで圧着する吊部材用挟着部を備え、
吊部材用挟着部は、端部から相互に向かい合うように延伸して形成された吊部材用端面どうしの組み合わせ又は端部の一方のみから他方へ延伸して形成された吊部材用端面からなることを特徴とする請求項１から４のいずれかに記載の交差部連結金具。
【請求項６】
吊部材用端面は、吊部材の挿通する切欠溝を備えたことを特徴とする請求項５記載の交差部連結金具。
【発明の詳細な説明】
【技術分野】
【０００１】
本願発明は、垂下された吊部材とその左又は／及び右に位置する振止部材とを交差状に連結するための交差部連結金具に関するものである。
【背景技術】
【０００２】
垂下された吊部材とその左又は／及び右に位置する振止部材とを交差状に連結するための交差部連結金具としては、特許文献１乃至特許文献５等に開示されたものがある。
特許文献１は、振止部材を２個のナットで挟み込んで保持するものである。
特許文献２は、振止部材をバネ性のある円弧（弓）形状の部材で保持するものである。
特許文献３及び４は、振止部材をバネを用いて仮止め可能に保持するものである。
特許文献５は、振止部材をその軸方向に沿って挟み込み保持するものである。
【先行技術文献】
【特許文献】
【０００３】
【特許文献１】特許第６１２１１６０号公報
【特許文献２】特許第６３１６５４９号公報
【特許文献３】特許第６２８４６６８号公報
【特許文献４】特許第６２８４６６９号公報
【特許文献５】特許第６０１１８３４号公報
【発明の概要】
【発明が解決しようとする課題】
【０００４】
しかしながら、上記特許文献１乃至５には、次のような課題があった。
（ア）上記特許文献１は、ナットの挿入と締結に手間がかかるという作業性に課題があった。
（イ）上記特許文献２は、上記特許文献１と比較して作業性は良いが、振止部材が外れやすい（安定性に欠ける）という課題があった。
（ウ）上記特許文献３乃至５は、締結力が弱いと振止部材が軸方向に抜け落ちるという課題があった。
（エ）また、振止部材の位置を調整する場合に振止部材が回転可能なため保持部材に部分的に当たり、引っ掛かるという課題もあった。
（オ）なお、上記特許文献３及び４のように、バネの弾性を利用して仮止めしている場合は、常時仮止め状態で引っ掛かっており、離れた収容部どうしでは位置調整が困難になる。
【０００５】
これに対して、本願出願人は、上記特許文献１乃至特許文献５等に開示されたものとは異なる構造で、垂下された吊部材とその左又は／及び右に位置する振止部材とを簡易且つ確実に連結する交差部連結金具を提供すべく鋭意試験・研究を行い、本願発明を完成させた。
【課題を解決するための手段】
【０００６】
本願発明の第１の発明は、垂下された吊部材とその左又は／及び右に位置する棒状の振止部材とを交差状に連結するための交差部連結金具であって、振止部材を保持するための保持部材が、向かい合う一対の締結片に締結具を挿通するための締結孔を設けて略Ｕ字形、略Ｖ字形又は略Ｗ字形に連結又は構成された保持部本体と、締結片の左右一端部又は両端部に、一対の締結片の近接によって振止部材を挟み込んで圧着する挟着部と、を備え、挟着部は、一対の締結片の端部から相互に向かい合うように延伸して形成された端面どうしの組み合わせ又は一対の締結片の端部の一方のみから他方へ延伸して形成された端面からなることを特徴とするものである。
第２の発明は、端面が、振止部材の挿通する切欠溝を締結孔よりも一対の締結片の開放側へ備えたことを特徴とする同交差部連結金具である。
第３の発明は、締結具にボルトを使用したことを特徴とする同交差部連結金具である。
第４の発明は、吊部材を保持する一対の金具本体と保持片とを備え、向かい合う金具本体と保持片の吊部材と直交する一端部又は両端部に、吊部材を挟み込んで圧着する吊部材用挟着部を備え、吊部材用挟着部は、端部から相互に向かい合うように延伸して形成された吊部材用端面どうしの組み合わせ又は端部の一方のみから他方へ延伸して形成された吊部材用端面からなることを特徴とする同交差部連結金具である。
第５の発明は、吊部材用端面が、吊部材の挿通する切欠溝を備えたことを特徴とする同交差部連結金具である。
【発明の効果】
【０００７】
上記した本願発明によれば、以下のような効果を有する。
（１）本願発明に係る保持部材であれば、振止部材を保持するために振止部材を取り付ける際に、保持部材を開く必要がなく、ワンタッチで収容部へ持っていけて位置調整が容易となる。
（２）また、保持部材（一対の締結片）を指で押圧し変形させることで、作業中に簡単に振止部材を仮止めできる（保持部材から外れ難くできる）。この時、保持部材は振止部材とクリアランスを維持しているので、振止部材の位置調整で振止部材が保持部材に引っ掛かることが無くなり、スムーズに位置調整ができる。
（３）さらに、振止部材を保持部材の挟着部で確実に固定できる。
（４）すなわち、挟着部が振止部材を挟み込んで圧着した場合（成型時）に連結部分が塑性変形されており、連結部分に弾性がないために、締結後にその成型時の形状をそのまま維持しようとするため、確実に振止部材を固定できる。
（５）振止部材をナットで挟み込む必要が無い。
【図面の簡単な説明】
【０００８】
【図１】本願発明の第１実施形態を示す説明図（その１）。
【図２】本願発明の第１実施形態を示す説明図（その２）。
【図３】本願発明の第１実施形態を示す説明図（その３）。
【図４】本願発明の第１実施形態を示す説明図（その４）。
【図５】本願発明の第１実施形態を示す説明図（その５）。
【図６】本願発明の第１実施形態を示す説明図（その６）。
【図７】本願発明の第１実施形態を示す説明図（その７）。
【図８】本願発明の第２実施形態を示す説明図。
【図９】本願発明の第３実施形態を示す説明図。
【図１０】本願発明の第４実施形態を示す説明図。
【発明を実施するための形態】
【０００９】
本願発明の実施形態（一例）を図面に基づいて説明する。なお、図示された実施形態は本願発明の一例で有り、本願発明はこれらに限定されるものではない。
【００１０】
図１乃至図７は、本願発明の第１実施形態を示す説明図である。
第１実施形態の交差部連結金具を説明する前に、まず、振止部材の保持部材について説明する。
保持部材１０は、向かい合う一対の締結片２０，３０を略Ｕ字形に連結した保持部本体１１を備える。その保持部本体１１には、図示するボルト・ナット等の締結具４０を挿通するための締結孔２１，３１を設けている。
【００１１】
また、保持部材１０は、締結片２０の両端部２２，２５と，締結片３０の両端部３２，３５に、相互に向かい合うように延伸して形成された端面２３，２６，３３，３６を備える。また、締結片２０の端面２３，２６には、振止部材９１を挿通する切欠溝２４，２７を備える。そして、この端面２３と端面３３，端面２６と端面３６が、一対の締結片２０，３０の近接によって振止部材９１を挟み込んで圧着する挟着部１２，１２となる。
【００１２】
保持部材１０は、このような構造を備えることで、振止部材９１を取り付ける場合にも、保持部材１０を開ける必要は無く、そのまま振止部材９１を差し込めば、保持部材１０の収容部１３に収容できる。そして、締結片２０，３０を指で押圧する（押し潰す）ことで、振止部材９１が挟着部１２（端面２３と端面３３）及び挟着部１２（端面２６と端面３６）に挟み込まれるように圧着されて、仮止め状態（収容部１３から外れない状態）となる。最後に、ボルト・ナット等の締結具４０で締結片２０，３０を締結すれば、挟着部１２の圧着状態は固定されて、保持部材１０による振止部材９１の保持を確実に維持できる。なお、保持部材１０を使用すれば、吊部材９０も同じように保持できる。
【００１３】
次に、この保持部材１０を使用した第１実施形態の交差部連結金具を説明する。
図１に図示する交差部連結金具５０は、垂下された吊部材９０とその左右に位置（９０度交差）する第一振止部材９１ａ及び第二振止部材９１ｂとを交差状に連結するためのものである。そして、この交差部連結金具５０は、吊部材９０を保持する一対の金具本体６０と保持片７０とを備える。金具本体６０は、保持片７０との境目から左右の両翼を折曲し、第一振止部材９１ａを保持する第一保持部材１０ａ及び第二振止部材９１ｂを保持する第二保持部材１０ｂを取り付けるための第一取付部６８，第二取付部６９を備える。
【００１４】
図２から図４は、交差部連結金具５０の取付方法を図示したものである。
まず、図２及び図３に図示するように、保持片７０を外して吊部材９０を取り付け（図２）、その後保持片７０を金具本体６０に組み付ける（図３）。これによって、吊部材９０を固定する。
【００１５】
次に、図４に図示するように、第一取付部６８，第二取付部６９に取り付けられた第一保持部１０ａ及び第二保持部１０ｂにそれぞれ第一振止部材９１ａ及び第二振止部材９１ｂを差し込み位置調整をし、仮止めし、位置（微）調整をし、そして締結具４０による本締めをして、第一振止部材９１ａ及び第二振止部材９１ｂを固定する。よって、第一振止部材９１ａ及び第二振止部材９１ｂの位置調整がしやすい。
【００１６】
ここで、第一保持部１０ａ及び第二保持部１０ｂは、図示するような断面略Ｕ字形に連結されたものであってもよいし、連結部１４に折り曲げ部を設けて断面略Ｗ字形に連結されたものであってもよい。また、連結部１４にスリットを設けて強度を調整してもよい。なお、連結部１４の強度の調整は板厚などで調整してもよい。
【００１７】
図５から図７は、保持部材１０による振止部材９１（吊部材９０も同様）の保持構造について詳しく説明したものである。
図５に図示するように、保持部材１０の挟着部１２においては、締結片２０の端面２３を例に説明すると、端面２３に形成される当接面Ｓが少ない面積で振止部材９１に押圧される。すると、振止部材９１のねじ部分が変形するか（図５（ａ））、端面２３の当接面Ｓが変形し（図５（ｂ））、圧着される。このため、挟着部１２のトルクが少しゆるんだ場合であっても、上記の変形した部材（ねじ部分又は当接面Ｓ）が相手側に引っ掛かり、保持部材１０の挟着部１２による振止部材９１の固定をより確実なものにできる（振止部材９１の抜け落ちを確実に防止できる）。
【００１８】
仮に、図５のような振止部材９１のねじ部分の変形や端面２３の当接面Ｓの変形がない場合でも、図６に図示するように、端面２３の先端側の変形（撓み）により、振止部材９１のねじ谷部に入り込み（ねじ谷部の角と端面先端の角どうしがフィットし）、引っ掛かる効果が期待できる。
【００１９】
また、図７に図示するように、挟着部１２が振止部材９１を端面２３，３３で挟み込んで圧着した場合（成型時）に、締結片２０，３０の連結部１４が塑性変形される。連結部１４には弾性がないため、締結後にその成型時の形状をそのまま維持しようとする。このため、締める力を抜いた後でも振止部材９１の抜けにくい効果を期待できる。
【００２０】
図８は、本願発明の第２実施形態を示す説明図である。
第２実施形態が第１実施形態と異なるのは、保持部材１０の端面２３，２６，３３，３６に振止部材９１との圧着を確実なものとするために、爪加工Ｔを施している点にある。その他については、第１実施形態と同じであるので、その説明を省略する。
【００２１】
図９は、本願発明の第３実施形態を示す説明図である。
第３実施形態が第１実施形態と異なるのは、保持部材１０の保持部本体１１を向かい合う一対の締結片２０，３０の２部材で略Ｖ字形に構成した点にある。これに対して、第１実施形態では、保持部材１０の保持部本体１１は、向かい合う一対の締結片２０，３０を略Ｕ字形に連結しているので、１部材である。その他については、第１実施形態と同じであるので、その説明を省略する。
【００２２】
図１０は、本願発明の第４実施形態を示す説明図である。
第４実施形態が第１実施形態と異なるのは、吊部材９０を保持する一対の金具本体６０と保持片７０とを備え、向かい合う金具本体６０と保持片７０の吊部材９０と直交する両端部６２，６５，７２，７５に、相互に向かい合うように延伸して形成された吊部材用端面６３，６６，７３，７６を備える。また、吊部材用端面６３，６６，７３，７６には、吊部材９０を挿通する切欠溝６４，６７，７４，７７を備える。そして、この吊部材用端面６３と吊部材用端面７３，吊部材用端面６６と吊部材用端面７６が、一対の金具本体６０と保持片７０の近接によって吊部材９０を挟み込んで圧着する吊部材用挟着部５２，５２となる。その他については、第１実施形態と同じであるので、その説明を省略する。
【産業上の利用可能性】
【００２３】
本願発明は、垂下された吊部材又は振止部材を保持するための保持部材として、そして、それを備えることで垂下された吊部材に第一振止部材及び第二振止部材を交差状に連結するための交差部連結金具としてに幅広く利用できるものである。
【符号の説明】
【００２４】
１０  保持部材
１１  保持部本体
１２  挟着部
１３  収容部
１４  連結部
２０  締結片
２１  締結孔
２２  端部
２３  端面
２４  切欠溝
２５  端部
２６  端面
２７  切欠溝
３０  締結片
３１  締結孔
３２  端部
３３  端面
３５  端部
３６  端面
Ｓ  当接面
Ｔ  爪加工
４０  締結具
５０  交差部連結金具
５２  吊部材用挟着部
６０  金具本体
６２  端部
６３  吊部材用端面
６４  切欠溝
６５  端部
６６  吊部材用端面
６７  切欠溝
６８  第一取付部
６９  第二取付部
７０  保持片
７２  端部
７３  吊部材用端面
７４  切欠溝
７５  端部
７６  吊部材用端面
７７  切欠溝
９０  吊部材
９１  振止部材
【図１】
0006940921.tif 000002
【図２】
0006940921.tif 000003
【図３】
0006940921.tif 000004
【図４】
0006940921.tif 000005
【図５】
0006940921.tif 000006
【図６】
0006940921.tif 000007
【図７】
0006940921.tif 000008
【図８】
0006940921.tif 000009
【図９】
0006940921.tif 000010
【図１０】
0006940921.tif 000011